(57)【要約】      （修正有）【課題】エアコンに関し導風板が安定的に動作するように、連結棒の安定性を向上させることができる導風板の駆動装置及び当該駆動装置を用いたエアコンの室内機を提供する。【解決手段】装置は、一側に伸出口が設けられた駆動ケースと、駆動ケース内にスライド可能に設けられた連結棒３と、を備え、連結棒３の先端が伸出口から伸出する。駆動ケース内に、連結棒３の移動方向に垂直する方向での変位を制限する制限構造が設けられる。【選択図】図１
0003196141.tif 000002
【実用新案登録請求の範囲】
【請求項１】
一側に伸出口が設けられた駆動ケースと、前記駆動ケース内にスライド可能に設けられた連結棒と、を備え、前記連結棒の先端が前記伸出口から伸出する導風板の駆動装置であって、
前記駆動ケース内に、前記連結棒の移動方向に垂直する方向での変位を制限する制限構造が設けられることを特徴とする導風板の駆動装置。
【請求項２】
前記制限構造は、前記伸出口に接近してそれぞれ前記連結棒の両側に位置する第１の制限部材と第２の制限部材とを備えることを特徴とする請求項１に記載の導風板の駆動装置。
【請求項３】
前記第１の制限部材と前記第２の制限部材とはすべて、支柱と当該支柱を覆う転動体とを備え、前記転動体には前記連結棒の縁にマッチングされる制限溝が設けられることを特徴とする請求項２に記載の導風板の駆動装置。
【請求項４】
前記転動体は二つの階段状の軸受けパッドから構成されることを特徴とする請求項３に記載の導風板の駆動装置。
【請求項５】
前記連結棒の後端には前記連結棒の移動方向に沿って延長するスライド溝ガイドが設けられ、
前記制限構造は、前記スライド溝ガイドを挿通し、且つ、前記スライド溝ガイドとマッチングする第３の制限部材と、前記第３の制限部材に対向して前記連結棒の一側に設けられる第４の制限部材と、を備えることを特徴とする請求項１に記載の導風板の駆動装置。
【請求項６】
前記第３の制限部材と前記第４の制限部材とはすべて、支柱と当該支柱を覆う転動体とを備え、前記転動体には前記連結棒の縁にマッチングされる制限溝が設けられることを特徴とする請求項５に記載の導風板の駆動装置。
【請求項７】
前記転動体は二つの階段状の軸受けパッドから構成されることを特徴とする請求項６に記載の導風板の駆動装置。
【請求項８】
前記制限構造は、前記連結棒の移動方向に沿って設けられる少なくとも一つのストッパーを更に備え、
前記連結棒の前記ストッパーに対向する側の表面に連結棒の表面を貫通するスライド溝が設けられ、前記ストッパーが前記スライド溝とマッチングすることを特徴とする請求項１〜７のいずれかに記載の導風板の駆動装置。
【請求項９】
前記駆動ケースはお互いにスナップフィットするケース本体とケース蓋を備
え、前記制限構造は前記ケース本体に設けられることを特徴とする請求項８に記載の導風板の駆動装置。
【請求項１０】
導風板と導風板の駆動装置とを備えるエアコンの室内機であって、
前記導風板の駆動装置は請求項１〜９の何れか１つに記載の導風板の駆動装置であって、
前記連結棒の先端が前記導風板に接続されることを特徴とするエアコンの室内機。
。
【考案の詳細な説明】
【技術分野】
【０００１】
本考案は、エアコンに関し、具体的に、導風板の駆動装置及び当該駆動装置を用いたエアコン室内機に関する。
【背景技術】
【０００２】
通常のエアコン室内機は全て、エアコンの上下の排風の向きをガイドするための導風板部材と、導風板を駆動して回転させるための導風板の駆動装置と、を設置している。現在、導風板の駆動装置は主に、駆動ケースと、連結棒と、モーターとによって構成され、連結棒はスライド可能に駆動ケース内に設けられ、その後部はギアラック伝動機構を介してモーターに接続され、連結棒の先端は導風板に接続される。使用中に、連結棒が伸縮移動中に安定性が悪く、導風板部材が安定的に動作できないことを発見した。
【考案の概要】
【考案が解決しようとする課題】
【０００３】
本考案は、導風板が安定的に動作するように、連結棒の安定性を向上させることができる導風板の駆動装置を提供することを解決しようとする第１の課題とする。
本考案は、導風板が安定的に動作するように、連結棒の安定性が高いエアコンの室内機を提供することを解決しようとする第２の課題とする。
【課題を解決するための手段】
【０００４】
本考案の上記の第１の課題を解決するための技術案は、一側に伸出口が設けられた駆動ケースと、前記駆動ケース内にスライド可能に設けられた連結棒と、を備え、前記連結棒の先端が前記伸出口から伸出する導風板の駆動装置であって、前記駆動ケース内に、前記連結棒の移動方向に垂直する方向での変位を制限する制限構造が設けられる導風板の駆動装置を提供する。
【０００５】
好適な実施例において、前記制限構造は、前記伸出口に接近してそれぞれ前記連結棒の両側に位置する第１の制限部材と第２の制限部材とを備える。
【０００６】
好適な実施例において、前記第１の制限部材と前記第２の制限部材とはすべて、支柱と当該支柱を覆う転動体とを備え、前記転動体には前記連結棒の縁にマッチングされる制限溝が設けられる。
【０００７】
好適な実施例において、前記転動体は二つの階段状の軸受けパッドから構成される。
【０００８】
好適な実施例において、前記連結棒の後端には前記連結棒の移動方向に沿って延長するスライド溝ガイドが設けられ、前記制限構造は、前記スライド溝ガイドを挿通し、且つ、前記スライド溝ガイドとマッチングする第３の制限部材と、前記第３の制限部材に対向して前記連結棒の一側に設けられる第４の制限部材と、を備える。
【０００９】
好適な実施例において、前記第３の制限部材と前記第４の制限部材とはすべて、支柱と当該支柱を覆う転動体とを備え、前記転動体には前記連結棒の縁にマッチングされる制限溝が設けられる。
【００１０】
好適な実施例において、前記転動体は二つの階段状の軸受けパッドから構成される。
【００１１】
好適な実施例において、前記制限構造は、前記連結棒の移動方向に沿って設けられる少なくとも一つのストッパーを更に備え、前記連結棒の前記ストッパーに対向する側の表面に連結棒の表面を貫通するスライド溝が設けられ、前記ストッパーが前記スライド溝とマッチングする。
【００１２】
好適な実施例において、前記駆動ケースはお互いにスナップフィットするケース本体とケース蓋を備え、前記制限構造は前記ケース本体に設けられる。
【００１３】
本考案の上記の第２の課題を解決するための技術案は、導風板と導風板の駆動装置とを備えるエアコンの室内機であって、前記導風板の駆動装置が上述の導風板の駆動装置であって、前記連結棒の先端が前記導風板に接続されるエアコンの室内機を提供する。
【考案の効果】
【００１４】
既存技術に比べ、本考案によると、以下のメリットを有する。
本考案の導風板の駆動装置によると、駆動ケース内に制限構造を設け、制限構造により連結棒の移動中の上下及び左右方向の変位を制限することによって、連結棒が伸縮移動中に設定された軌跡に沿って安定的に動作し、導風板が安定的に動作することが実現できる。
【図面の簡単な説明】
【００１５】
【図１】本考案の一実施例に係る導風板の駆動装置の構造を示す図である。
【図２】図１に示す導風板の駆動装置のケース本体を示す立体図である。
【図３】図１のＣ−Ｃに沿う断面図である。
【図４】図１のＢ−Ｂに沿う断面図である。
【図５】図１に示す導風板の駆動装置の連結棒を示す立体図である。
【考案の実施の形態】
【００１６】
以下、図面を参照して本考案の実施例を詳しく説明する。
図１と図２を参照すると、本考案の一実施例における連結棒の制限装置は主に、駆動ケースと駆動ケース内に設けられた制限構造から構成され、駆動ケースはケース本体１とケース蓋２から構成され、ケース本体１に伸出口１１と制限構造が設けられている。連結棒３は、スライド可能に駆動ケース内に設けられ、連結棒後端３２にラック３３が設けられ、当該ラック３３と駆動ケース内に設けられたメイン歯車４とが噛み合い、連結棒の先端３１は伸出口１１から伸出する。モーターが正転と反転することで連結棒３が伸縮移動することを実現する。制限構造により連結棒３の移動中の上下方向及び左右方向の変位を制限することによって、連結棒３が伸縮移動する際に安定的に動作でき、これにより、導風板が安定的に動作することを実現できる。本実施例における制限構造は、第１の制限点と、第２の制限点と、第３の制限点との三つの制限点に分けられる。
【００１７】
図１を参照すると、第１の制限点は、伸出口１１に接近しそれぞれ連結棒３の両側に位置する第１の制限部材Ａと第２の制限部材Ｂから構成され、さらに、図３を参照すると、第１の制限部材Ａは、支柱１２と支柱１２を覆う転動体から構成され、転動体に連結棒３の縁にマッチングされる制限溝６が設けられる。連結棒３が安定的に動作するように、第１の制限部材Ａと第２の制限部材Ｂとは両側でそれぞれ、連結棒３が動作する際の上方と下方への変位を制限し、また、ケース本体１とケース蓋２とがスナップフィットした後、連結棒３が左右に揺れないように、制限溝６は連結棒３の動作中の左側と右側への移動を制限する。転動体は二つの階段状の軸受けパッド５から構成されることが好ましい。組み立てする際、まず、一側の軸受けパッド５を支柱１２に装着した後、連結棒３をケース本体１内に装着し、それから他側の軸受けパッド５を装着することで、組み立ての便宜を図ることができる。第２の制限部材Ｂの構造は第１の制限部材Ａの構造と同一で、支柱１３と支柱１３を覆う二つの軸受けパッド５から構成され、ここでは説明を省略する。  
【００１８】
第２の制限点は第３の制限部材Ｃと第４の制限部材Ｄから構成され、連結棒３の後端には連結棒３の移動方向に沿って延長するスライド溝ガイド３４が設けられ、第３の制限部材Ｃはスライド溝ガイド３４を挿通し、且つ、スライド溝ガイド３４とマッチングするように設けられ、上記第４の制限部材Ｄは第３の制限部材Ｃと対向して上記連結棒３の下側に設けられる。第３の制限部材Ｃと第４の制限部材Ｄとによって連結棒３の移動中の上下方向の変位を制限する。図４を参照すると、第３の制限部材Ｃの構造は第１の制限部材Ａの構造と同一で、支柱１４と支柱を覆う二つの軸受けパッド５から構成され、また、第３の制限部材Ｃの構造は第１の制限部材Ａの構造と同一で、支柱１５と支柱を覆う二つの軸受けパッド５から構成され、ここで、説明を省略する。
【００１９】
第３の制限点は、連結棒３の移動方向に沿って間隔をあけて設けられた二つのストッパー１６、１７から構成され、図５を参照すると、連結棒３のストッパー１６、１７に対向する側の表面には連結棒３の表面を貫通するスライド溝３５が設けられ、ストッパー１６、１７はスライド溝３５とマッチングして、上下位置を制限する作用と連結棒３の後端を支持する作用を果たす。
【００２０】
以下、本実施例の工作原理を説明する。
連結棒３が移動する際、連結棒３の伸縮軌跡は設定された軌道に沿って移動する。連結棒３が伸ばされる際、メイン歯車４の回転によりスプライン３３を駆動し移動させ、同時に、軸受けパッド５が回転し、支柱１２、１３、１４、１５により連結棒３の上下位置を制限して安定的に動作させ、プログラムを設定することでステッピングモーターの回転角度を制御することによって移動の角度を制御する。設定された角度まで伸ばされ回転した時に、連結棒３を停止させる。連結棒３が前半部分まで移動する時、第１の制限点と第２の制限点とは協同して連結棒１３の上下位置を保証しつつ左右での遊動又は変位を防止し、極限位置まで安定的に伸ばせることができる。
【００２１】
連結棒３が極限位置まで伸ばされた後、マイクロスイッチをトリガーしてモーターを反転させ、メイン歯車４を駆動して反転させて連結棒３が後半部分まで収縮した時、第２の制限点と第３の制限点とが協同して上下方向の移動を制限することによって、連結棒３の後部の安定性を実現する。しかも、連結棒３の先端はまだ第１の制限点により制限される。
【００２２】
上述のように、本実施例の連結棒３の制限装置によると、三つの制限点によって協同して連結棒３を制限することによって、連結棒３の左右及び上下の安定性を保証する。
【００２３】
以上は、本考案の具体的な実施例に過ぎず、本考案の保護範囲を限定するものではない。本考案の構想内での如何なる置換及び改良は全て本考案の保護範囲に含まれる。
【符号の説明】
【００２４】
１:ケース本体                             １１:伸出口
１２、１３、１４、１５：支柱              １６、１７：ストッパー
２：ケース蓋                              ３：連結棒
３１：連結棒の先端                        ３２：連結棒の後端
３３：ラック                              ３４：スライド溝ガイド
３５：スライド溝                          ３６：連結棒の縁
４：メイン歯車                            ５：軸受けパッド
６：制限溝                                Ａ：第１の制限部材
Ｂ：第２の制限部材                        Ｃ：第３の制限部材
Ｄ：第４の制限部材
【図１】
0003196141.tif 000003
【図２】
0003196141.tif 000004
【図３】
0003196141.tif 000005
【図４】
0003196141.tif 000006
【図５】
0003196141.tif 000007